(57)【要約】      （修正有）【課題】一部分にウォーターバリアが取り付けられた防水シートを綺麗に平らな状態で展張して敷設することを可能にすると共に、防水シートのウォーターバリアを覆工コンクリートの打継目に適正に対応させて配置できる防水シート展張架台を提供する。【解決手段】トンネル内周に略倣う形状で形成されて防水シートが載置される載置面１１を有し、防水シートのウォーターバリアが収容可能な凹溝１２がトンネル周方向に延びて載置面１１に形成されている防水シート展張架台であって、好ましくは載置面１１のトンネル軸方向の中間位置に開閉自在な開閉部１３がトンネル周方向に設けられる。【選択図】図２
2018066180.tif 000002
【特許請求の範囲】
【請求項１】
トンネル内周に略倣う形状で形成されて防水シートが載置される載置面を有し、
前記防水シートのウォーターバリアが収容可能な凹溝がトンネル周方向に延びて前記載置面に形成されていることを特徴とする防水シート展張架台。
【請求項２】
前記載置面のトンネル軸方向の中間位置に開閉自在な開閉部がトンネル周方向に設けられていることを特徴とする請求項１記載の防水シート展張架台。
【請求項３】
請求項１又は２記載の防水シート展張架台を用いる防水シートの敷設方法であって、
前記載置面の前記凹溝にダミー材の少なくとも一部を収容して前記載置面を略平準化し、前記略平準化した前記載置面にウォーターバリアを有しないバリア無防水シートを載置して展張することにより前記防水シートを敷設することを特徴とする防水シートの敷設方法。
【請求項４】
前記ダミー材がウォーターバリアを有し且つ前記バリア無防水シートよりも幅の短いバリア有防水シートであることを特徴とする請求項３記載の防水シートの敷設方法。
【請求項５】
請求項１又は２記載の防水シート展張架台を用いる防水シートの敷設方法であって、
ウォーターバリアを覆工コンクリートの打継目に対応する位置に配置した敷設済防水シートがある状態で、ウォーターバリアを有する第３の防水シートの前記ウォーターバリアを前記載置面の前記凹溝に収容して前記載置面を略平準化し、前記略平準化した前記載置面にウォーターバリアを有さず且つ前記第３の防水シートよりも幅の長い第１の防水シートを載置して展張し、前記第１の防水シートの後端部を前記敷設済防水シートの前端部に積層する第１工程と、
前記第３の防水シートの状態を維持しつつ前記防水シート展張架台を前方に移動し、ウォーターバリアを有しない第２の防水シートを前記載置面に後ろ寄りに載せて展張し、前記第２の防水シートの後端部を前記第１の防水シートの前端部に積層する第２工程
を備えることを特徴とする防水シートの敷設方法。
【請求項６】
前記防水シート展張架台が前記載置面のトンネル軸方向の中間位置に開閉自在な開閉部がトンネル周方向に設けられているものであり、
前記第２工程において若しくは前記第２工程の後に、開けた状態の前記開閉部を介して前記第３の防水シートの後端部を前記第２の防水シートの前端部に積層し、且つ前記第３の防水シートの前記ウォーターバリアを覆工コンクリートの打継目に対応する位置に配置することを特徴とする請求項５記載の防水シートの敷設方法。
【請求項７】
前記第１の防水シート、前記第２の防水シート及び前記第３の防水シートがそれぞれ定型幅の防水シートであり、
前記第１の防水シートの幅＞前記第２の防水シートの幅＞前記第３の防水シートの幅になっていることを特徴とする請求項５又は６記載の防水シートの敷設方法。
【請求項８】
請求項１又は２記載の防水シート展張架台を用いる防水シートの敷設方法であって、
ウォーターバリアを覆工コンクリートの打継目に対応する位置に配置した敷設済防水シートがある状態で、敷設するウォーターバリアを有する防水シートの前記ウォーターバリアを前記載置面の前記凹溝に収容しながら前記防水シートを前記載置面に載せて展張し、前記防水シートの後端部を前記敷設済防水シートの前端部に積層し、且つ前記防水シートの前端近傍の前記ウォーターバリアを覆工コンクリートの打継目に対応する位置に配置することを特徴とする防水シートの敷設方法。
【発明の詳細な説明】
【技術分野】
【０００１】
本発明は、トンネル内への地山からの漏水を防水する防水シートを敷設する際に用いられる防水シート展張架台及び防水シートの敷設方法に関する。
【背景技術】
【０００２】
山岳トンネル等のトンネルにおける防水シート施工では、トンネル内への地山からの漏水を防水すべく、トンネル全周面に亘って防水シートが設けられ、且つ隣接する防水シート同士が一体となるように敷設される。このような防水シート施工においては、万一、漏水があった場合には、どの箇所に問題があるかをただちに突き止めて補修するべく、図６〜図８に示すように、トンネル周方向に延びる凸条１２１が間隔を開けて複数設けられたウォーターバリア１２０を防水シート１１０の内面側に配することがある（特許文献１参照）。
【０００３】
図示例の防水シート１１０は、防水層１１１と透水層１１２を積層して固着した積層シートであり、透水層１１２はトンネル外側に向けて一次覆工の吹付コンクリート１３０に固着され、防水層１１１はトンネル内側に向けて設けられ二次覆工の覆工コンクリート１４０で覆われている。防水シート１１０の防水層１１１の所定箇所には凸条１２１が間隔を開けて複数設けられたウォーターバリア１２０が設けられており、ウォーターバリア１２０及びトンネル内側に突出する凸条１２１は覆工コンクリート１４０で覆われて埋設されている。
【０００４】
トンネルＴ’には長さ方向の所定間隔毎に、覆工コンクリート１４０の打継目１４１があり、トンネルＴ’内は打継目１４１を境にしてそれぞれ区画Ｓ’に区分されている。ウォーターバリア１２０は、漏水し易い覆工コンクリート１４０の打継目１４１に対応して配置されており、換言すればウォーターバリア１２０を略境にして区画Ｓ’に区分されている。
【０００５】
ウォーターバリア１２０を有する防水シート１１０の設置では、トンネルＴ’内で展張した防水シート１１０の表面に後から現場でウォーターバリア１２０を連続溶着して取り付けると、連続溶着の品質確保が困難になること、現場で長い溶着時間や大変な労力が必要になることから、通常は工場で防水シート１１０にウォーターバリア１２０を連続溶着しておき、現場でウォーターバリア１２０付の防水シート１１０を吹付コンクリート１３０の吹付面に設置するのが一般的である。
【０００６】
また、近年では、施工の効率化や防水シートの継ぎ目箇所を減らすという観点から、より幅広でトンネル軸方向に長い防水シートを用い、防水シート展張架台の載置面で防水シートを展張して施工することや（特許文献２参照）、走行レールを走行するシートホルダーで防水シートを引き出してローラーアームで一次覆工面に圧着して施工すること（特許文献３参照）が提案されている。
【先行技術文献】
【特許文献】
【０００７】
【特許文献１】特開２００６−１８８９１８号
【特許文献２】特開２０１５−８６６８８号
【特許文献３】特開２００１−５９３９８号
【発明の概要】
【発明が解決しようとする課題】
【０００８】
ところで、一部分にウォーターバリアが取り付けられた幅広の防水シートを、防水シート展張架台の載置面で展張して施工する場合、特許文献２のように平滑な載置面の防水シート展張架台で展張すると、ウォーターバリアのある部分で防水シートが浮き上がってしまい、ウォーターバリアをトンネル内空側に配置させた状態で防水シートを防水シート展張架台上に綺麗に展張するのが困難である。
【０００９】
また、特許文献３のように防水シートをシートホルダーで引き出してローラーアームで一次覆工面に押し付けて固定する方式では、一部分にウォーターバリアが取り付けられた幅広の防水シートを固定する場合、一次覆工の凹凸によってウォーターバリアが覆工コンクリートの打継目からずれてしまう可能性が高くなる。
【００１０】
本発明は上記課題に鑑み提案するものであって、防水シートを綺麗に平らな状態で展張して敷設することを可能にすると共に、防水シートのウォーターバリアを覆工コンクリートの打継目に適正に対応させて配置させることができる防水シート展張架台及び防水シートの敷設方法を提供することを目的とする。
【課題を解決するための手段】
【００１１】
本発明の防水シート展張架台は、トンネル内周に略倣う形状で形成されて防水シートが載置される載置面を有し、前記防水シートのウォーターバリアが収容可能な凹溝がトンネル周方向に延びて前記載置面に形成されていることを特徴とする。
これによれば、一部分にウォーターバリアが取り付けられた防水シートを載置面の凹溝にウォーターバリアを収容して展張することができ、一部分にウォーターバリアが取り付けられた防水シートを綺麗に平らな状態で展張して敷設することが可能となる。また、一部分にウォーターバリアが取り付けられた防水シートを綺麗に平らな状態で展張して敷設できることから、防水シートのウォーターバリアを覆工コンクリートの打継目に適正に対応させて配置させることができる。
【００１２】
本発明の防水シート展張架台は、前記載置面のトンネル軸方向の中間位置に開閉自在な開閉部がトンネル周方向に設けられていることを特徴とする。
これによれば、防水シート展張架台の中間位置において、開いた状態の開閉部を介して防水シート同士を弛みなく端部を重ね合わせて敷設することが可能となる。従って、防水シートの幅に対応する防水シート展張架台を用いる必要がなくなり、防水シート展張架台のトンネル軸方向の長さの多様化や小型化、防水シート展張架台で敷設する防水シートの幅の多様化を図ることができる。
【００１３】
本発明の防水シートの敷設方法は、本発明の防水シート展張架台を用いる防水シートの敷設方法であって、前記載置面の前記凹溝にダミー材の少なくとも一部を収容して前記載置面を略平準化し、前記略平準化した前記載置面にウォーターバリアを有しないバリア無防水シートを載置して展張することにより前記防水シートを敷設することを特徴とする。
これによれば、ウォーターバリアが収容可能な凹溝が載置面に形成されている防水シート展張架台を用い、ダミー材の凹溝収容で略平準化された載置面にウォーターバリアを有しない防水シートを載置して展張することが可能となり、載置面に凹溝を有する防水シート展張架台でウォーターバリアを有しない防水シートを平らな状態で綺麗に展張して敷設することができる。例えば一次覆工面である吹付コンクリートの内周面と防水シートとの間に充填材を充填、固化させて防水シートを一次覆工面に固定する場合に、充填材によって防水シートが防水シート展張架台の凹みに押されることがなくなり、防水シート内面を平らな状態で綺麗に仕上げることができ、覆工コンクリート打設空間にエア溜りが生ずることを防止することができる。
【００１４】
本発明の防水シートの敷設方法は、前記ダミー材がウォーターバリアを有し且つ前記バリア無防水シートよりも幅の短いバリア有防水シートであることを特徴とする。
これによれば、別途にダミー材を用いずとも、バリア有防水シートで凹溝を塞いで載置面を略平準化し、バリア無防水シートを平らな状態で綺麗に展張して敷設することができる。また、バリア有防水シートは撤去せずにバリア有防水シートを敷設する位置になった際にそのまま敷設することができることから、防水シートの敷設作業を効率化することができる。
【００１５】
本発明の防水シートの敷設方法は、本発明の防水シート展張架台を用いる防水シートの敷設方法であって、ウォーターバリアを覆工コンクリートの打継目に対応する位置に配置した敷設済防水シートがある状態で、ウォーターバリアを有する第３の防水シートの前記ウォーターバリアを前記載置面の前記凹溝に収容して前記載置面を略平準化し、前記略平準化した前記載置面にウォーターバリアを有さず且つ前記第３の防水シートよりも幅の長い第１の防水シートを載置して展張し、前記第１の防水シートの後端部を前記敷設済防水シートの前端部に積層する第１工程と、前記第３の防水シートの状態を維持しつつ前記防水シート展張架台を前方に移動し、ウォーターバリアを有しない第２の防水シートを前記載置面に後ろ寄りに載せて展張し、前記第２の防水シートの後端部を前記第１の防水シートの前端部に積層する第２工程を備えることを特徴とする。
これによれば、別途にダミー材を用いずとも、第３の防水シートで凹溝を塞いで載置面を略平準化し、第１の防水シートを平らな状態で綺麗に展張して敷設することができる。更に、ウォーターバリアを有しない第２の防水シートを載置面に後ろ寄りに載せて展張し、ウォーターバリアを有しない第１、第２の防水シートを連設して覆工コンクリートの打継目間の距離が長い場合にも打継目に対応する位置にウォーターバリアが確実に配置されるように防水シートを敷設することができる。また、第３の防水シートは撤去せずに第３の防水シートを敷設する位置になった際にそのまま敷設することができることから、防水シートの敷設作業を効率化することができる。
【００１６】
本発明の防水シートの敷設方法は、前記防水シート展張架台が前記載置面のトンネル軸方向の中間位置に開閉自在な開閉部がトンネル周方向に設けられているものであり、前記第２工程において若しくは前記第２工程の後に、開けた状態の前記開閉部を介して前記第３の防水シートの後端部を前記第２の防水シートの前端部に積層し、且つ前記第３の防水シートの前記ウォーターバリアを覆工コンクリートの打継目に対応する位置に配置することを特徴とする。
これによれば、防水シート展張架台の中間位置において、開いた状態の開閉部を介して第２の防水シートと第３の防水シート同士を弛みなく端部を重ね合わせて敷設することが可能となる。
【００１７】
本発明の防水シートの敷設方法は、前記第１の防水シート、前記第２の防水シート及び前記第３の防水シートがそれぞれ定型幅の防水シートであり、前記第１の防水シートの幅＞前記第２の防水シートの幅＞前記第３の防水シートの幅になっていることを特徴とする。
これによればウォーターバリアを有する定型幅の防水シートやウォーターバリアを有しない定型幅の防水シートを組み合わせて防水シート全体を形成することにより、変化する覆工コンクリートの打継目間に対応する打設スパンに容易に適応することができる。また、定型幅の防水シートの組み合わせにより、防水シートの無駄な端材が生ずることを防止することができ、経済性に優れる。
【００１８】
本発明の防水シートの敷設方法は、本発明の防水シート展張架台を用いる防水シートの敷設方法であって、ウォーターバリアを覆工コンクリートの打継目に対応する位置に配置した敷設済防水シートがある状態で、敷設するウォーターバリアを有する防水シートの前記ウォーターバリアを前記載置面の前記凹溝に収容しながら前記防水シートを前記載置面に載せて展張し、前記防水シートの後端部を前記敷設済防水シートの前端部に積層し、且つ前記防水シートの前端近傍の前記ウォーターバリアを覆工コンクリートの打継目に対応する位置に配置することを特徴とする。
これによれば、ウォーターバリアが取り付けられた防水シートを防水シート展張架台の載置面の凹溝にウォーターバリアを収容して展張することができ、ウォーターバリアが取り付けられた防水シートを綺麗に平らな状態で展張して敷設することができる。また、ウォーターバリアが取り付けられた防水シートを綺麗に平らな状態で展張して敷設できることから、防水シートのウォーターバリアを覆工コンクリートの打継目に適正に対応させて配置させることができる。
【発明の効果】
【００１９】
本発明によれば、一部分にウォーターバリアが取り付けられた防水シートを綺麗に平らな状態で展張して敷設することができると共に、防水シートのウォーターバリアを覆工コンクリートの打継目に適正に対応させて配置させることができる。
【図面の簡単な説明】
【００２０】
【図１】（ａ）トンネル内に設置された実施形態の防水シート展張架台を含む防水シート展張設備を示す説明図、（ｂ）はシート受け台とシート受け台に配置される防水シートを示す斜視図。
【図２】（ａ）は本実施形態の防水シート展張架台の縦端面図、（ｂ）は同図（ａ）の防水シート展張架台の開閉部を開いた状態の縦端面図。
【図３】（ａ）〜（ｅ）は本実施形態の防水シートの敷設方法の工程模式図。
【図４】（ａ）はバリア無防水シートにバリア有防水シートを固着する際における本実施形態の防水シート展張架台の端部周辺を示す説明図、（ｂ）は防水シートの背面空洞に充填材を充填する例における本実施形態の防水シート展張架台の端部周辺を示す説明図。
【図５】（ａ）、（ｂ）は定型幅の防水シートの敷設方法の工程模式図。
【図６】従来のウォーターバリアで防水区画されたトンネルの斜視図。
【図７】従来のウォーターバリアで防水区画されたトンネルの展開図。
【図８】従来のウォーターバリアで防水区画されたトンネルのウォーターバリア周辺を示す部分拡大断面図。
【発明を実施するための形態】
【００２１】
〔実施形態の防水シート展張架台及び防水シートの敷設方法〕
本発明による実施形態の防水シート展張架台１０は、図１及び図２に示すように、トンネルＴの内周に略倣う形状で形成された載置面１１を有し、載置面１１に防水シート３０が載置されるようになっている。載置面１１には、載置面１１からへこむようにしてトンネル周方向に延びる凹溝１２が形成されており、凹溝１２には、図３及び図４に示すように、防水シート３０（３０ｃ、３０ｐ）のウォーターバリア３１（３１ｃ、３１ｐ）が収容可能になっている。本実施形態の載置面１１は、トンネル横断面視で略半円状でトンネル軸方向に所定長さで延びて形成されており、トンネル掘進方向を前側とした場合の載置面１１の前端近傍に位置するようにして凹溝１２が設けられている。
【００２２】
防水シート展張架台１０には、その載置面１１のトンネル軸方向の中間位置に開閉自在な開閉部１３が設けられており、開閉部１３はトンネル周方向に設けられている。図示例の開閉部１３は、防水シート展張架台１０の支持部１４に回動可能に軸止めして設けられ、閉状態では開閉部１３の載置板１３１の上面が載置面１１の一部を構成するように配置し、ピン止め等で固定して閉状態を維持すると共に、ピン止め等の固定を解除して回動し、開状態にすることが可能である。また、図示例の開閉部１３は、トンネル周方向に並設されており、閉状態では各々の載置板１３１を前方に向かって窄まるテーパ形状にする等により並設された載置板１３１で相互に僅かな隙間がある状態の載置面１１の一部を構成するようになっており、又、開状態では載置板１３１が相互に干渉せずに開放されて全体としてトンネル周方向に延びて開放されるようになっている。
【００２３】
防水シート展張架台１０を備える防水シート展張設備は、例えば図１に示すように、トンネル掘削面から地山５１にロックボルト５２が放射状に打設されていると共にトンネル掘削面を覆うように内側に吹付コンクリート５３が設けられたトンネルＴに設置され、吹付コンクリート５３の内側に離間してウォーターバリア３１を有するバリア有の防水シート３０やウォーターバリアを有しない防水シート３を展張して敷設する際に用いられる。
【００２４】
図示例の防水シート展張設備では、防水シート展張架台１０のトンネル内周に略倣う形状の載置面１１が吹付コンクリート５３の内周面から離間するように配置され、載置面１１が吹付コンクリート５３の内周面に略倣うように配置されている。防水シート展張架台１０は、内側の架台支持フレーム２１と架台支持脚２２で支持されている。そして、トンネル横断面視で略半円状の防水シート展張架台１０の一端側には防水シートロール受台２３と誘導ローラー２４が配置され、他端側には牽引索２６を牽引するウィンチ２５が配置されている。
【００２５】
防水シートロール受台２３は複数の回転自在な送りローラー２３１で巻き込まれた防水シート３０やウォーターバリアを有しないバリア無防水シート３を支持するようになっており、防水シートロール受台２３はトンネル軸方向に間隔を開けて複数設けられ、各々の防水シートロール受台２３が連結ロッド２７を保持することによって一体化されている。防水シート３０、３は防水シートロール受台２３に載せられ、並列配置された防水シートロール受台２３が防水シート３０、３を支持する。
【００２６】
尚、防水シートロール受台２３に載せられて敷設される防水シート３０の構造は、本発明の趣旨の範囲内で適宜であるが、例えばトンネル内側に向けられる防水層とトンネル外側に向けられる透水層を積層して両端部以外の箇所を固着した積層シートとすると好適である。また、防水シート３０のウォーターバリア３１は、防水シート３０の前端近傍等の所定箇所には凸条３１１（３１１ｃ）が間隔を開けて複数設けられることにより形成されている（図４参照）。
【００２７】
牽引索２６は、防水シート展張架台１０の他端側から一端側に防水シート展張架台１０の載置面１１の上を架け渡されるように設けられ、先端側が巻き込まれた防水シート３０或いはバリア無の防水シート３の巻き終わり端に取り付けられる。牽引索２６の基端側はウィンチ２５に取り付けられ、ウィンチ２５の駆動で牽引索２６を他端側に引っ張り、牽引索２６の先端側に取り付けられている防水シート３０、３を他端側に引っ張るようになっている。ウィンチ２５、牽引索２６による防水シート３０、３の牽引により、防水シート３０は防水シートロール受台２３の送りローラー２３１上で送りローラー２３１の回転による補助で回転し、防水シート３０、３がスムーズに引き出され、更に、誘導ローラー２４で防水シート展張架台１０の載置面１１の上側に誘導される。これにより、防水シート３０、３が載置面１１上で展張されて敷設される。
【００２８】
次に、本実施形態の防水シート展張架台１０を用いる防水シート３０の敷設方法について説明する。先ず敷設する際には、例えば図３（ａ）、（ｂ）に示すように、地山５１に吹付コンクリート５３が設けられたトンネルＴにおいて、吹付コンクリート５３の内側に敷設済防水シート３０ｐが既に敷設され、敷設済防水シート３０ｐの前端近傍のウォーターバリア３１ｐが覆工コンクリートの打継目５４ｍに対応する位置に配置された状態で、ウォーターバリアを有しない平滑な第１の防水シート３ａ（３）を防水シート展張架台１０の載置面１１に載せて展張する。
【００２９】
この際、防水シート展張架台１０の載置面１１の凹溝１２に第１の防水シート３ａが落ち込んで弛まないように凹溝１２の部分で第１の防水シート３ａを載置面１１の高さと略同等まで持ち上げるダミー材として、後に設置される第３の防水シート３０ｃをそのウォーターバリア３１ｃを凹溝１２に収容するようにして載置し、この状態でウォーターバリアを有しない平滑な第１の防水シート３ａを略平準化された載置面１１上で展張する。尚、第１の防水シート３ａの凹溝１２への弛みが許容範囲であればダミー材やなんらかのスペーサー部材を用いることなく第１の防水シート３ａを展張することも可能である。ここで第１の防水シート３ａが弛まないように凹溝１２を塞ぐのに用いた第３の防水シート３０ｃは、単に仮置きするだけで、第１の防水シート３ａとは接続しない。そして、展張した第１の防水シート３ａの後端部を敷設済防水シート３０ｐの前端部に積層して第１の防水シート３ａを敷設する。
【００３０】
その後、防水シート展張架台１０を第３の防水シート３０ｃを載せたまま前方に移動し、ウォーターバリアを有しない平滑な第２の防水シート３ｂを前方に移動した防水シート展張架台１０の載置面１１の後ろ寄りに載せて展張し、且つ第３の防水シート３０ｃの前部寄りのウォーターバリア３１ｃを載置面１１の前端近傍に設けられた凹溝１２に収容しながら第３の防水シート３０ｃを載置面１１の前寄りに載せた状態で展張する（図３（ｃ）参照）。尚、第１の防水シート３ａの敷設時に第３の防水シート３０ｃ以外のダミー材を凹溝１２に収容していた場合には、第３の防水シート３０ｃを展張する前に予めダミー材を凹溝１２から取り除いておく。
【００３１】
更に、第２の防水シート３ｂの後端部を第１の防水シート３ａの前端部に積層すると共に、開閉部１３を開けて開状態の開閉部１３を介して第３の防水シート３０ｃの後端部を第２の防水シート３ｂの前端部に積層し、第３の防水シート３０ｃの前部寄りのウォーターバリア３１ｃを覆工コンクリートの打継目５４ｎに対応する位置に配置するようにして、第２の防水シート３ｂ及び第３の防水シート３０ｃを敷設する（図３（ｃ）、（ｄ）参照）。尚、第１の防水シート３ａ、第２の防水シート３ｂ、第３の防水シート３０ｃ、３０ｐはそれぞれ定型幅の防水シートであり、第１の防水シートの幅３ａ＞第２の防水シート３ｂの幅＞第３の防水シート３０ｃ、３０ｐの幅になっている。
【００３２】
ここで、防水シート３０ｐ、３ａ、３ｂ、３０ｃを互いに積層して固着する方式は適宜であるが、例えば防水シート展張架台１０を前方に移動した後、図３（ｅ）に示す重ね合わせ式自動溶着機４１をトンネル周方向に移動させて相互に溶着すると良好である。
【００３３】
その後、図３（ｅ）に示すように、防水シート展張架台１０を前方に移動し、第３の防水シート３０ｃを敷設済み防水シートとして、上記第１の防水シート３０ａの敷設と同様にして防水シート３ａ’を敷設する。
【００３４】
このように敷設する防水シート３０ｐ、３ａ、３ｂ、３０ｃ、３ａ’は、適宜の構造で敷設状態を維持することが可能であり、例えば図８のように吹付コンクリート５３に直接貼り付けて固着し、敷設状態を維持してもよい。また、図４（ｂ）に示すように、防水シート敷設と並行する作業で、エアバルク４２を膨らませて展張して敷設した防水シート３０ｃ等の防水シート３０の前端部と吹付コンクリート５３との間を閉塞し、既に充填して固化されている充填材の前端部と、吹付コンクリート５３と、防水シート３０、３と、エアバルク４２で形成される充填材の充填空間４３に充填材を充填して固化させ、充填材を介して敷設した防止シート３０の敷設状態を維持するようにしてもよい。このように、充填材を介して防水シート３０を敷設する際には、防水シート展張架台１０の載置面１１を型枠押さえとして、防水シート３０の背面空間に充填材を加圧充填していく為、防水シート３０の内面は平滑な状態に仕上がる。尚、図４（ｂ）における４４は押さえワイヤーであり、押さえワイヤー４４を防水シート展張架台１０の載置面１１上でトンネル周方向に延伸するように張設し、防水シート３ｂ、３０ｃを、載置面１１と押さえワイヤー４４の間に引き込むように敷設すると好適である。
【００３５】
本実施形態によれば、一部分にウォーターバリア３１が取り付けられた防水シート３０を載置面１１の凹溝１２にウォーターバリア３１を収容して展張することができ、一部分にウォーターバリア３１が取り付けられた防水シート３０を綺麗に平らな状態で展張して敷設することが可能となる。また、一部分にウォーターバリア３１が取り付けられた防水シート３０を綺麗に平らな状態で展張して敷設できることから、防水シート３０のウォーターバリア３１を覆工コンクリートの打継目５４ｍ、５４ｎに適正に対応させて配置させることができる。
【００３６】
また、開閉部１３により、防水シート展張架台１０の中間位置において、開いた状態の開閉部１３を介して防水シート同士を弛ませることなく、防水シート同士或いは不織布を有する防水シートの場合には不織布同士をきれいに重ね合わせて配置することが可能となる。従って、防水シートの幅に対応する防水シート展張架台を用いる必要がなくなり、防水シート展張架台のトンネル軸方向の長さの多様化や小型化、防水シート展張架台で敷設する防水シートの幅の多様化を図ることができる。
【００３７】
また、ウォーターバリアが収容可能な凹溝１２が載置面１１に形成されている防水シート展張架台１０を用い、ダミー材が収容された載置面１１にウォーターバリアを有しない防水シート３ａ、３ｂを載置して展張することにより、載置面１１に凹溝１２を有する防水シート展張架台１０でウォーターバリアを有しない防水シート３ａ、３ｂを平らな状態で綺麗に展張して敷設することができる。例えば一次覆工面である吹付コンクリート５３の内周面と防水シートとの間に充填材を充填、固化させて防水シート３０ｐ、３ａ、３ｂ、３０ｃ、３ａ’を一次覆工面に固定する場合に、充填材によって防水シート３ａ、３ｂが防水シート展張架台１０の凹みに押されることがなくなり、防水シート内面を平らな状態で綺麗に仕上げることができ、覆工コンクリート打設空間にエア溜りが生ずることを防止することができる。
【００３８】
また、別途にダミー材を用いずとも、第３の防水シート３０ｃで凹溝１２を塞いで載置面を略平準化し、第１の防水シート３ａを平らな状態で綺麗に展張して敷設することができる。更に、ウォーターバリアを有しない第２の防水シート３ｂを載置面に後ろ寄りに載せて展張し、ウォーターバリアを有しない第１、第２の防水シート３ａ、３ｂを連設して覆工コンクリートの打継目５４ｍ、５４ｎ間の距離が長い場合にも打継目５４ｍ、５４ｎに対応する位置にウォーターバリア３１ｐ、３１ｃが確実に配置されるように防水シートを敷設することができる。また、第３の防水シート３０ｃは撤去せずに第３の防水シート３０ｃを敷設する位置になった際にそのまま敷設することができることから、防水シートの敷設作業を効率化することができる。また、防水シート展張架台１０の中間位置において、開いた状態の開閉部１３を介して第２の防水シート３ｂと第３の防水シート３０ｃ同士を弛みなく端部を重ね合わせて敷設することが可能となる。
【００３９】
また、覆工コンクリートの打継目５４ｍと打継目５４ｎとの間隔に対応する防水シートの打設スパンよりも、敷設する第１、第２、第３の防水シート３ａ、３ｂ、３０ｃの幅を小さくすることができ、又、防水シート展張架台１０のトンネル軸方向の長さも打設スパンよりも短くすることができ、防水シート展張架台１０を小型化することができる。また、覆工コンクリートの打継目５４ｍと打継目５４ｎとの間で第１の防水シート３ａと第２の防水シート３ｂ、第２の防水シート３ｂと第３の防水シート３０ｃを溶着等で固着し、必要に応じて防水シート同士の固着位置を調整することにより、第３の防水シート３０ｃのウォーターバリア３１ｃを覆工コンクリートの打継目５４ｎに確実に対応させて適正な位置に配置することができる。
【００４０】
また、ウォーターバリアを有する定型幅の防水シート３０ｃ等やウォーターバリアを有しない定型幅の防水シート３ａ、３ｂ等を組み合わせて防水シート全体を形成することにより、変化する覆工コンクリートの打継目５４ｍ、５４ｎ間に対応する打設スパンに容易に適応することができる。また、定型幅の防水シートの組み合わせにより、防水シートの無駄な端材が生ずることを防止することができ、経済性に優れる。また、ウォーターバリアを有する防水シート３０を、防水シートの打設スパンの一部の長さの対応する短い幅の第３の防水シート３０ｃとすることにより、第３の防水シート３０ｃを軽量化して比較的綺麗に巻回された巻物とすることが可能となると共に、第１、第２の防水シート３ａ、３ｂにウォーターバリアを取り付けることが不要となり、第１、第２の防水シート３ａ、３ｂを綺麗に巻回された巻物とすることが可能となる。
【００４１】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４２】
例えば本発明の防水シートの敷設方法には、ウォーターバリアを覆工コンクリートの打継目に対応する位置に配置した敷設済防水シートがある状態で、敷設する防水シートの後端近傍のウォーターバリアを防水シート展張架台１０の載置面１１の前端近傍に設けられた凹溝１２に収容しながら防水シートを載置面１１に載せて展張し、防水シートの後端部を敷設済防水シートの前端部に積層固着し、且つ防水シートの前端近傍のウォーターバリアを覆工コンクリートの打継目に対応する位置に配置するようにして、防水シートを敷設する変形例も含まれる。この具体例として、上記実施形態の敷設済みの防水シート３０ｐがある状態で、第３の防水シート３０ｃを長めにした防水シートを凹溝１２にウォーターバリア３１ｃを収容しながら展張し、この防水シートを敷設済みの防水シート３０ｐに積層固着し、第３の防水シート３０ｃを長めにした防水シートのウォーターバリアを覆工コンクリートの打継目５４ｎに対応する位置に配置するように敷設する場合が挙げられる。
【００４３】
この変形例の敷設方法でも、前端近傍にウォーターバリアが取り付けられた防水シートを防水シート展張架台１０の載置面１１の凹溝１２にウォーターバリアを収容して展張することができ、この防水シートを綺麗に平らな状態で展張して敷設することができる。また、前端近傍にウォーターバリアが取り付けられた防水シートを綺麗に平らな状態で展張して敷設できることから、防水シートのウォーターバリアを覆工コンクリートの打継目５４ｎに適正に対応させて配置させることができる。
【００４４】
また、本発明におけるウォーターバリアを有する防水シート３０や、ウォーターバリアを有しない防水シート３は、所要のシートについて、定型幅を有する定型幅防水シートを組み合わせて定型幅防水シートの前端部と後端部を積層して工場等で予め固着して形成したものとしてもよい。図５の例では、後ろ側に敷設されるウォーターバリアを有しない防水シート３を３個の定型幅防水シート３αを工場等で予め積層固着して形成し、前側に敷設されるウォーターバリアを有しない防水シート３を２個の定型幅防水シート３αを工場等で予め積層固着して形成し、後ろ側の防水シート３と、前側の防水シート３と、その後側のウォーターバリアを有する防水シート３０を現場で溶着している。定型幅防水シート３ａの幅は例えば２ｍ〜２．５ｍ程度とする。これにより、変化する覆工コンクリートの打継目間に対応する打設スパンに容易に適応することができると共に、定型幅防水シートの組み合わせにより、防水シートの無駄な端材が生ずることを防止することができ、経済性に優れる。
【産業上の利用可能性】
【００４５】
本発明は、トンネル内への地山からの漏水を防水する防水シートを敷設する際に利用することができる。特に、地山からの湧水をトンネル内の排水路に導水して排水するのではなく地山から水を出させないウォータータイト工法で、ウォーターバリア付きの防水シートを敷設する際に利用すると好適である。
【符号の説明】
【００４６】
１０…防水シート展張架台  １１…載置面  １２…凹溝  １３…開閉部  １３１…載置板  １４…支持部  ２１…架台支持フレーム  ２２…架台支持脚  ２３…防水シートロール受台  ２３１…送りローラー  ２４…誘導ローラー  ２５…ウィンチ  ２６…牽引索  ２７…連結ロッド  ３０、３０ｐ、３０ｃ…防水シート  ３１、３１ｐ、３１ｃ…ウォーターバリア  ３１１…凸条  ３、３ａ、３ｂ、３ａ’…防水シート  ３α…定型幅防水シート  ４１…重ね合わせ式自動溶着機  ４２…エアバルク  ４３…充填空間  ４４…押さえワイヤー  ５１…地山  ５２…ロックボルト  ５３…吹付コンクリート  ５４ｍ、５４ｎ…覆工コンクリートの打継目  １１０…防水シート  １１１…防水層  １１２…透水層  １２０…ウォーターバリア  １２１…凸条  １３０…吹付コンクリート  １４０…覆工コンクリート  １４１…打継目  Ｔ、Ｔ’…トンネル  Ｓ、Ｓ’…区画
【図１】
2018066180.tif 000003
【図２】
2018066180.tif 000004
【図３】
2018066180.tif 000005
【図４】
2018066180.tif 000006
【図５】
2018066180.tif 000007
【図６】
2018066180.tif 000008
【図７】
2018066180.tif 000009
【図８】
2018066180.tif 000010